(57)【要約】  ランナーにほぼ平行な平面を走行するよう支持される少なくとも２枚のパネルを備え、ドアパネルの動きのためにラックおよび歯車仕掛けの配置が提供されることを特徴とする、マルチパネルスライディングドア。
2007532807.tif 000002
【特許請求の範囲】
【請求項１】
ランナーにほぼ平行な平面を走行するよう支持される少なくとも２枚のパネルを備え、ドアパネルの動きのためにラックと歯車仕掛けの配置が提供されることを特徴とする、マルチパネルスライディングドア。
【請求項２】
ドアランナーに並行に延在するドアヘッダＦと、
パネルＰ0は固定され、残りのｎ−１枚のパネルＰ1，Ｐ2，．．．Ｐn-1はそれにほぼ平行な平面を走行するように支持され、一組のＰのｎ枚のパネルＰ0，Ｐ1，．．．，Ｐn-1は等しい幅Ｌを有する、一組のｎ枚の隣接パネルＰ＝ Ｐ0，Ｐ1，．．．，Ｐn-1 と、
一組のＣＦのラックＣＦ0，ＣＦ1，．．．，ＣＦn-3の長さはＬ，２Ｌ，．．．，（ｎ−２）Ｌにそれぞれ等しい、ドアヘッダＦに固定して支持される第１の組のｎ−２のラックＣＦ＝ ＣＦ0，ＣＦ1，．．．，ＣＦn-3 と、
一組のＣＰのラックＣＰ2，ＣＰ3，．．．，ＣＰn-1の長さはＬに等しい、一組のＰのパネルＰ2，Ｐ3，．．．，Ｐn-1にそれぞれ取り付けられるか一体的に形成されるかする第２の組のｎ−２のラックＣＰ＝ ＣＰ2，ＣＰ3，．．．，ＣＰn-1 と、
一組のＰのｎ−２枚のパネルＰ1，Ｐ2，．．．，Ｐn-2にそれぞれ回動可能に搭載され、第１のＣＦおよび第２のＣＰの組のラックに噛み合うよう設計された、一組のｎ−２の歯車仕掛けＲ＝ Ｒ1，Ｒ2，．．．，Ｒn-2 と、
から構成され、
一組のＲは、
一組のＣＦのラックＣＦ0と一組のＣＰのラックＣＰ2と噛み合う一枚歯車から形成される歯車仕掛けＲ1と、
第１のより大きい直径の歯車がそれぞれ一組のＣＦのラックＣＦ1，ＣＦ2，．．．，ＣＦn-3と噛み合い、第２のより小さい直径の歯車が一組のＣＰのラックＣＰ3，ＣＰ4，．．．，ＣＰn-1と噛み合い、ｋ番目の歯車仕掛けＲkのより大きい歯車の直径Ｄkのより小さい歯車の直径ｄkに対する比率がｋ＝２，３，．．．，ｎ−２に等しい、それぞれ２つの同軸および共回転の歯車から形成されるｎ−３の歯車仕掛けＲ2，Ｒ3，．．．，Ｒn-2とを含むことを特徴とする、請求項１に記載のマルチパネルスライディングドア。
【請求項３】
パネルＰ0は固定され、残りのｎ−１枚のパネルＰ1，Ｐ2，．．．，Ｐn-1はそれにほぼ平行な平面を走行するよう支持され、一組のＰのｎ枚のパネルＰ0，Ｐ1，．．．，Ｐn-1は等しい幅Ｌを有し、一組のＰのｎ−２枚のパネルＰ0，Ｐ1，．．．，Ｐn-3はその上端にパネルの走行方向に延在するエクステンションアームＢ0，Ｂ1，．．．，Ｂn-3をそれぞれ有する、一組のｎ枚の隣接パネルＰ＝ Ｐ0，Ｐ1，．．．，Ｐn-1 と、
一組のＰのｎ−２枚のパネルＰ0，Ｐ1，．．．，Ｐn-3のエクステンションアームＢ0，Ｂ1，．．．，Ｂn-3にそれぞれ取り付けられるか一体的に形成されるかする第１の組のｎ−２のラックＣＳ＝ ＣＳ0，ＣＳ1，．．．，ＣＳn-3 と、
一組のＰのパネルＰ2，Ｐ3，．．．，Ｐn-1にそれぞれ取り付けられるか一体的に形成されるかする第２の組のｎ−２のラックＣＤ＝ ＣＤ2，ＣＤ3，．．．，ＣＤn-1 と、
一組のＰのｎ−２枚のパネルＰ1，Ｐ2，．．．，Ｐn-2にそれぞれ回動可能に搭載され、第１のＣＳおよび第２のＣＤの組のラックと噛み合うよう設計された、一組のｎ−２の歯車仕掛けＲ＝ Ｒ1，Ｒ2，．．．，Ｒn-2 とから構成されることを特徴とする、請求項１に記載のマルチパネルスライディングドア。
【請求項４】
ほぼ平行な平面を走行するよう支持され、等しい幅Ｌを有する、一組のｎ枚の隣接パネルＰ＝ Ｐ0，Ｐ1，．．．，Ｐn-1 と、
一組のＰのｎ−２枚のパネルＰ0，Ｐ1，．．．，Ｐn-3にそれぞれ取り付けられるか一体的に形成されるかする第１の組のｎ−２のラックＣＳ＝ ＣＳ0，ＣＳ1，．．．，ＣＳn-3 と、
一組のＰのｎ−２枚のパネルＰ2、Ｐ3、．．．、Ｐn-1にそれぞれ取り付けられるか一体的に形成されるかする第２の組のｎ−２のラックＣＤ＝ ＣＤ2，ＣＤ3，．．．，ＣＤn-1 と、
歯車仕掛け（ＲＳ1，ＲＤ1），（ＲＳ2，ＲＤ2），．．．，（ＲＳn-2，ＲＤn-2）のそれぞれの対は、第２の組のラックＣＤのラックＣＤ2，ＣＤ3，．．．，ＣＤn-1にそれぞれ噛み合うよう設計された第１の歯車仕掛けＲＳ1，ＲＳ2，．．．，ＲＳn2と、第１の組のラックＣＳのラックＣＳ0，ＣＳ1，．．．，ＣＳn-3とそれぞれ噛み合うように設計された第２の歯車仕掛けＲＤ1，ＲＤ2，．．．，ＲＤn-2とを含み、一組のＲのそれぞれの対の歯車仕掛け（ＲＳ1，ＲＤ1），（ＲＳ2，ＲＤ2），．．．，（ＲＳn-2，ＲＤn-2）の第１および第２の歯車仕掛けは、同じ回転速度で回転するようそれぞれ伝動装置Ｔ1，Ｔ2，．．．，Ｔn-2により相互に連結される、ｎ−２枚のパネルＰ2，Ｐ3，．．．，Ｐn-1にそれぞれ回動可能に搭載される一組のｎ−２対の歯車仕掛けＲ＝ （ＲＳ1，ＲＤ1），（ＲＳ2，ＲＤ2），．．．，（ＲＳn-2，ＲＤn-2） とから構成されることを特徴とする、請求項１に記載のマルチパネルスライディングドア。
【発明の詳細な説明】
【技術分野】
【０００１】
本発明は、壁もしくは同様の建物の構造において、入口などへのコントロールされたアクセスを提供するために用いられるような、マルチパネルスライディングドアに関する。
【背景技術】
【０００２】
上述の種類のマルチパネルスライディングドアは一般的に、ランナーにほぼ平行な平面を走行するように支持される２枚以上のパネルを備える。既知の配置において、ドアパネルは段階上に動く。すなわちドアパネルは、ドアを閉める時、第１のパネルが一方向に動き、それが一定の距離をカバーすると、その第１のパネルが第２のパネルと噛み合い、それをその動きに従い引っ張るような方法で、相互に連結される。次に第２のパネルは、一定の距離をカバーした後、第３のパネルと噛み合い、ドアの全てのパネルが完全に引き伸ばされるまでそのようにする。ドアを開ける時、パネルは上述と同じ順序であるが、反対方向に動作する。
【０００３】
この種類の配置は動作において、少なくとも２つの重要な不都合な点を有する。１つ目は、動くパネルが固定されたパネルに噛み合う時に、動くパネルが固定されたパネルにぶつかることにより生じる音に関するものである。
２つ目の不都合な点は、ドアの開閉が、操作されるパネルの数とともに増加する、それぞれ引いたり押したりという力を必要とする多くのステップによりなされることである。
【発明の開示】
【発明が解決しようとする課題】
【０００４】
本発明は、上記の不都合な点が回避され、ドアパネルの操作が同期化されるように、上述の種類のマルチパネルスライディングドアの改良を目的とするものである。
【課題を解決するための手段】
【０００５】
本発明は、ランナーにほぼ平行な平面を走行するよう支持される少なくとも２枚のパネルを備え、ラックおよび歯車仕掛けの配置がドアパネルの動きのために提供されることを特徴とする、マルチパネルスライディングドアを提供することで、この目的を達成する。
【発明を実施するための最良の形態】
【０００６】
図面の図１および図２を参照すると、マルチパネルスライディングドアの第１実施形態は、当技術分野において既知の任意の適した種類でよい図示されないドアランナーと平行に延在するドアヘッダＦと、パネルＰ0が固定され、残りのパネルＰ1からＰ4がそれにほぼ平行な平面を走行するよう支持されるところの、一組の隣接パネルＰ＝ Ｐ0，Ｐ1，Ｐ2，Ｐ3，Ｐ4 とから構成される。パネルＰ0からＰ4は等しい幅Ｌを有することが好ましい。
【０００７】
パネルの動作のため、ドアヘッダＦに固定して支持される第１の組のラックＣＦ＝ ＣＦ0，ＣＦ1，ＣＦ2 と、それぞれパネルＰ2，Ｐ3，Ｐ4に取り付けられるか一体的に形成されるかする第２の組のラックＣＰ＝ ＣＰ2，ＣＰ3，ＣＰ4 と、それぞれパネルＰ1，Ｐ2，Ｐ3に回動自在に搭載され第１のＣＦおよび第２のＣＰの組のラックと噛み合うよう設計された一組の歯車仕掛けＲ＝ Ｒ1，Ｒ2，Ｒ3 とから構成される配置が提供される。
ラックＣＦ0，ＣＦ1，ＣＦ2の長さはそれぞれＬ、２Ｌ、３Ｌに等しく、一方ラックＣＰ2，ＣＰ3，ＣＰ4の長さはＬに等しい。
【０００８】
一組の歯車仕掛けＲは、一組のＣＦのラックＣＦ0および一組のＣＰのラックＣＰ2と噛み合う一枚歯車から形成される歯車仕掛けＲ1と、第１のより大きい直径の歯車が一組のＣＦのラックＣＦ1，ＣＦ2とそれぞれ噛み合い、第２のより小さい直径の歯車が一組のＣＰのラックＣＰ3，ＣＰ4とそれぞれ噛み合うところの、それぞれ２つの同軸および共回転の歯車から形成される、歯車仕掛けＲ2、Ｒ3とを含む。
【０００９】
一組のＲの歯車仕掛けを形成する歯車の直径の適切な割合は、ｋ番目のパネルＰkの移動が常にパネルＰ1の移動のｋ倍である運動学的連関を規定する基準のもとに選択される。
実際に、それぞれ幅Ｌを有する一組のパネルＰを含む、上述されたようなマルチパネルスライディングドアにおいて、固定パネルＰ0に対して、パネルＰ1が距離Ｌ、パネルＰ2が距離２Ｌ、パネルＰ3が距離３Ｌだけ移動した時に、ドアはその完全伸展の状態に達する。
このことは、ｋ番目のパネルＰkの移動ｓkがｋに比例するというルールによって、明示的かつ一般的に定式化され、ここでは添字ｋ≧１である。
【００１０】
一組のＲのｋ番目の歯車仕掛けＲkを形成する歯車の直径の比率を一般的な方法で決定するために、パネルＰkが距離ｓkをカバーする時、それに隣接するパネルＰk+1はパネルＰkを次の式に等しい距離だけ追い越すことに留意してよい：
ｓk+1−ｓk＝πｎkｄk  （１）
この式において、ｎkは歯車仕掛けＲkの回転速度であり、ｄkは歯車仕掛けＲkのより小さい歯車の直径である。
【００１１】
一組のＲのｋ番目の歯車仕掛けＲkの回転速度は、次の関係によって与えられる：
ｎk＝ｓk／（πＤk）  （２）
この式において、Ｄkは歯車仕掛けＲkのより大きい歯車の直径である。
【００１２】
方程式２を方程式１のｎkに代入することで以下が与えられる：
ｓk+1−ｓk＝πｓkｄk／Ｄk  （３）
添字ｋ≧１である場合にｋ番目のパネルＰkの移動ｓkがｋに比例するという一般的なルールのもとで、最終的には以下の関係が得られる：
Ｄk／ｄk＝ｋ  （４）
【００１３】
したがって、図１および図２に示されるマルチパネルスライディングドアの場合に方程式４を適用することで、以下の比率が得られる：
【表１】
2007532807.tif 000003
一組のＲの歯車仕掛けＲkの設計において、上記の比率を用いることで、ｋ番目のパネルＰkの移動ｓkはｋに比例し、ここでは添字ｋ≧１であり、マルチパネルスライディングドアの伸展はＬから（パネルの数＋１）×Ｌの範囲に及び、Ｌは上記の通りそれぞれのパネルの幅である。
【００１４】
図面の図３および図４を参照すると、マルチパネルスライディングドアの第２実施形態は、パネルＰ0は固定され、残りのパネルＰ1からＰ4はそれにほぼ平行な平面を走行するよう支持されるところの、一組の隣接パネルＰ＝ Ｐ0，Ｐ1，Ｐ2，Ｐ3，Ｐ4 から構成される。パネルＰ0からＰ4は、等しい幅Ｌを有することが好ましい。パネルＰ0，Ｐ1，Ｐ2はその上端に、パネルの走行方向に延在するエクステンションアームＢ0，Ｂ1，Ｂ2をそれぞれ有する。
【００１５】
パネルの動作のため、パネルＰ0，Ｐ1，Ｐ2のエクステンションアームＢ0，Ｂ1，Ｂ2にそれぞれ取り付けられるか一体的に形成されるかする第１の組のラックＣＳ＝ ＣＳ0，ＣＳ1，ＣＳ2 と、パネルＰ2，Ｐ3，Ｐ4にそれぞれ取り付けられるか一体的に形成されるかする第２の組のラックＣＤ＝ ＣＤ2，ＣＤ3，ＣＤ4 と、パネルＰ1，Ｐ2，Ｐ3にそれぞれ回動自在に搭載され、第１のＣＳおよび第２のＣＤの組のラックと噛み合うよう設計された一組の歯車仕掛けＲ＝ Ｒ1，Ｒ2，Ｒ3 とから構成される配置が提供される。
【００１６】
ラックＣＳ0，ＣＳ1，ＣＳ2はそれぞれパネルＰ1，Ｐ2，Ｐ3に面し、一方ラックＣＤ2，ＣＤ3，ＣＤ4はそれぞれパネルＰ1，Ｐ2，Ｐ3に面する。
この第２実施形態においてもまた、ｋ番目のパネルＰkの移動が常にパネルＰ1の移動のｋ倍であるところの運動学的連関が規定されることが望ましい。
第２実施形態において、パネルＰkが距離ｓkを移動する時、それに隣接するパネルＰk+1はパネルＰkを次の式に等しい距離だけ追い越すことが観察される、すなわち：
ｓk+1−ｓk＝πｎkＤk  （５）
この式においてｎkは歯車仕掛けＲkの回転速度であり、Ｄkは歯車仕掛けＲkの歯車の直径である。
【００１７】
一組のＲのｋ番目の歯車仕掛けＲkの回転速度は、以下の関係によって与えられる：
ｎk＝（ｓk−ｓk-1）／（πＤk）  （６）
方程式６を方程式５のｎkに代入することで、以下が得られる：
ｓk+1−ｓk＝ｓk−ｓk-1  （７）
したがって：
ｓk+1＝２ｓk−ｓk-1  （８）
この式において添字ｋ≧１である。
【００１８】
パネルＰ0が固定されているためｓ0＝０であることを考慮すると、方程式８から以下が得られる：
【表２】
2007532807.tif 000004
したがって、第２実施形態の配置においても、所望の運動学的連関が得られる。すなわち、ｋ番目のパネルＰkの移動は常にパネルＰ1の移動のｋ倍である。
【００１９】
第１および第２の実施形態はどちらも、固定されたエンドパネルＰ0を含み、残りのパネルＰ1からＰ4の動きは、固定されたパネルに対して常に一定の所与の方向に生じる。
全てのパネルがほぼ平行な平面の走行のため支持され、どちらのエンドパネルが固定の位置におかれるかによりマルチパネルスライディングドアが所望のどちらの方向にも伸展できる、図５および図６に示される以下の第３実施形態によって、この制限は克服される。
【００２０】
図面の図５および図６を参照すると、マルチパネルスライディングドアの第３実施形態は、ほぼ平行な平面の走行のために支持され、好ましくは等しい幅Ｌを有する、一組の隣接パネルＰ＝ Ｐ0，Ｐ1，Ｐ2，Ｐ3，Ｐ4 から構成される。
パネルの動きのために、それぞれパネルＰ0，Ｐ1，Ｐ2に取り付けられるか一体的に形成されるかする第１の組のラックＣＳ＝ ＣＳ0，ＣＳ1，ＣＳ2 と、それぞれパネルＰ2，Ｐ3，Ｐ4に取り付けられるか一体的に形成されるかする第２の組のラックＣＤ＝ ＣＤ2，ＣＤ3，ＣＤ4 と、それぞれパネルＰ1，Ｐ2，Ｐ3に回動自在に搭載され、第１のＣＳおよび第２のＣＤの組のラックに噛み合うよう設計された、一組の対の歯車仕掛けＲ＝ （ＲＳ1，ＲＤ1），（ＲＳ2，ＲＤ2），（ＲＳ3，ＲＤ3） とを含む配置が提供される。
【００２１】
ラックＣＳ0，ＣＳ1，ＣＳ2は、それぞれパネルＰ1，Ｐ2，Ｐ3に面し、一方ラックＣＤ2，ＣＤ3，ＣＤ4がそれぞれパネルＰ1，Ｐ2，Ｐ3に面する。
一対の歯車仕掛け（ＲＳ1，ＲＤ1），（ＲＳ2，ＲＤ2），（ＲＳ3，ＲＤ3）のそれぞれは、第２の組のラックＣＤのラックＣＤ2，ＣＤ3，ＣＤ4とそれぞれ噛み合うよう設計された第１の歯車仕掛けＲＳ1，ＲＳ2，ＲＳ3と、第１の組のラックＣＳのラックＣＳ0，ＣＳ1，ＣＳ2にそれぞれ噛み合うよう設計された第２の歯車仕掛けＲＤ1，ＲＤ2，ＲＤ3とを含む。
【００２２】
一対の歯車仕掛け（ＲＳ1，ＲＤ1），（ＲＳ2，ＲＤ2），（ＲＳ3，ＲＤ3）のそれぞれの第１および第２の歯車仕掛けは、同じ回転速度で回転するために、それぞれ伝動装置Ｔ1，Ｔ2，Ｔ3によって相互に連結されている。図示されている実施形態において、伝動装置Ｔ1，Ｔ2，Ｔ3はエンドレスベルトによって形成されている。
【００２３】
第３実施形態の動作を理解するために、たとえば、パネルＰ0を固定されたパネルとして、残りのパネルＰ1からＰ4をそれにほぼ平行な平面を走行するために支持されるものとして考えてよい。
この第３実施形態においてもまた、ｋ番目のパネルＰkの移動が常にパネルＰ1の移動のｋ倍である運動学的連関が規定されることが望ましい。
この第３実施形態において、パネルＰkが距離ｓkだけ走行した時、それに隣接するパネルＰk+1はパネルＰkを次の式に等しい距離だけ追い越すことが観察される：
ｓk+1−ｓk＝πｎkＤk  （９）
この式においてｎkは歯車仕掛けＲkの回転速度であり、Ｄkは歯車仕掛けＲkの歯車の直径である。
【００２４】
一組のＲのｋ番目の歯車仕掛けＲkの回転速度は、以下の関係で与えられる：
ｎk＝（ｓk−ｓk-1）／（πＤk）  （１０）
方程式１０を方程式９のｎkに代入すると、以下が得られる：
ｓk+1−ｓk＝ｓk−ｓk-1  （１１）
したがって、
ｓk+1＝２ｓk−ｓk-1  （１２）
この式において、添字ｋ≧１である。
【００２５】
パネルＰ0は固定されたエンドパネルであると考えられるためＳ0＝０であることを考慮すると、方程式１２から以下が得られる：
【表３】
2007532807.tif 000005
したがって、第３実施形態の配置においても、所望の運動学的連関が得られる。すなわち、Ｐ0が固定位置におかれるエンドパネルを指すと仮定すると、ｋ番目のパネルＰkの移動は常に、パネルＰ1の移動のｋ倍である。
【００２６】
ここに本発明は、添付の図面に関連して説明される。
【図面の簡単な説明】
【００２７】
【図１】本発明によるマルチパネルスライディングドアの第１の好適な実施形態の部分斜視図である。
【図２】図１のマルチパネルスライディングドアの部分側面図である。
【図３】本発明によるマルチパネルスライディングドアの第２の好適な実施形態の部分斜視図である。
【図４】図３のマルチパネルスライディングドアの部分分解斜視図である。
【図５】本発明によるマルチパネルスライディングドアの第３の好適な実施形態の部分斜視図である。
【図６】図５のマルチパネルスライディングドアの部分分解斜視図である。
【図１】
2007532807.tif 000006
【図２】
2007532807.tif 000007
【図３】
2007532807.tif 000008
【図４】
2007532807.tif 000009
【図５】
2007532807.tif 000010
【図６】
2007532807.tif 000011
【国際調査報告】
2007532807.tif 000012
2007532807.tif 000013